(57)【要約】【課題】シリンジからの内容液を一定圧まで圧縮したのち、それを一気に噴出させることができるとともに、部品点数の削減が図られて組み付け作業性に優れた、蓄圧式噴出ノズル及びそれを備えるシリンジ型噴出器を提供する。【解決手段】シリンジ2の先端部2cに嵌合させる筒体11と、筒体11の内側に配置されるとともにシリンジ2から圧送された内容液を受けて進行可能なピストン15とを備える。ピストン15は、筒体11の内面を密閉するとともに貫通孔19が形成された周壁16と、周壁16の内側を閉じる仕切壁18と、仕切壁18から先細りに突出する膨出部20とを有する。筒体11の内側には、開口部Aが形成された隔壁12を有し、隔壁12には、開口部A周りに配置されるとともにピストン15に向かって伸びる複数の突起13が設けられている。ピストン15が突起13を押し開いて進行したとき、貫通孔19からの内容液を開口部Aに通じさせる溝14が筒体11の内面に形成されている。【選択図】図２
2014087532.tif 000002
【特許請求の範囲】
【請求項１】
一端が開口してその内面をシリンジの先端部に固定させる筒体と、当該筒体の内側に配置されるとともにシリンジから圧送された内容液を受けて進行可能なピストンとを備え、
当該ピストンは、筒体の内面を密閉するとともに貫通孔が形成された周壁と、当該周壁の内側を閉じる仕切壁と、当該仕切壁から先細りに突出する膨出部とを有するものであり、
筒体は、その内側に、開口部が形成された隔壁を有し、当該隔壁には、開口部の周りに間隔を置いて配置されるとともにピストンに向かって伸びる複数の突起が設けられ、さらに、
当該突起を押し開いてピストンが進行したとき、貫通孔からの内容液を開口部に通じさせる溝が筒体の内面に形成されたものである、蓄圧式噴出ノズル。
【請求項２】
請求項１において、前記突起が、その先端部に、膨出部に合わさる傾斜面を有する、蓄圧式噴出ノズル。
【請求項３】
請求項１又は２において、前記周壁に、その周方向に沿って環状の窪みを形成し、当該窪みに、前記貫通孔を開口させてなる、蓄圧式噴出ノズル。
【請求項４】
請求項１乃至３のいずれか１項において、筒体の他端に固定して前記開口部から圧送された内容液の噴出口が形成されたノズルチップと、ノズルチップの内側に配置されて前記開口部をノズルチップの噴出口に通じさせる連絡路を形成する挿入部材とを備える、蓄圧式噴出ノズル。
【請求項５】
請求項１乃至４のいずれか１項に記載の蓄圧式噴出ノズルと、当該蓄圧式噴出ノズルを固定させる先端部を有するシリンジと、当該シリンジとの間に内容液の充填空間を形成するプランジャを備える、蓄圧式シリンジ型噴出器。
【発明の詳細な説明】
【技術分野】
【０００１】
本発明は、シリンジから圧送された内容液を一定の圧力まで圧縮したのち、それを一気に開放することで、一定の状態を保ちつつ内容液を噴出できる蓄圧式噴出ノズル及び、それを備える蓄圧式シリンジ型噴出器に関するものである。
【背景技術】
【０００２】
シリンジから圧送された内容液を蓄圧したのち、それを一気に噴出させる技術としては、一対の噴霧ノズルを有するアダプタ本体と、このアダプタ本体をシリンジに装着するためのコネクタとの間に、弾性材で形成されたシール部材を介装したものがある。この技術は、シール部材に設けた環状リブをアダプタ本体に密着させるとともに、当該リブの内側に、シリンジからの内容液が充填されるチャンバを形成することで、この環状リブを蓄圧弁として機能させるものである（例えば、特許文献１参照）。
【先行技術文献】
【特許文献】
【０００３】
【特許文献１】特開平１１−１１４０６５号公報
【発明の概要】
【発明が解決しようとする課題】
【０００４】
しかしながら、上記の技術では、環状に繋がるリブを蓄圧弁として機能させるため、環状リブの剛性が高すぎると、蓄圧弁として機能しないことが考えられる。また、シール部材をアダプタ本体とコネクタの間に介装させるため、部品点数の削減や組み付け作業性に改善の余地がある。
【０００５】
本発明の目的とするところは、シリンジから圧送された内容液を一定の圧力まで圧縮したのち、それを一気に開放することで、一定の状態を保ちつつ内容液を噴出できるとともに、部品点数の削減が図られて組み付け作業性に優れた、新規な蓄圧式噴出ノズル及び、それを備える蓄圧式シリンジ型噴出器を提供することにある。
【課題を解決するための手段】
【０００６】
本発明の蓄圧式噴出ノズルは、一端が開口してその内面をシリンジの先端部に固定させる筒体と、当該筒体の内側に配置されるとともにシリンジから圧送された内容液を受けて進行可能なピストンとを備え、当該ピストンは、筒体の内面を密閉するとともに貫通孔が形成された周壁と、当該周壁の内側を閉じる仕切壁と、当該仕切壁から先細りに突出する膨出部とを有するものであり、筒体は、その内側に、開口部が形成された隔壁を有し、当該隔壁には、開口部の周りに間隔を置いて配置されるとともにピストンに向かって伸びる複数の突起が設けられ、さらに、当該突起を押し開いてピストンが進行したとき、貫通孔からの内容液を開口部に通じさせる溝が筒体の内面に形成されたものである。
【０００７】
本発明の蓄圧式噴出ノズルにおいて、前記突起は、その先端部に、膨出部に合わさる傾斜面を有することが好ましい。
【０００８】
本発明の蓄圧式噴出ノズルは、前記周壁に、その周方向に沿って環状の窪みを形成し、当該窪みに、前記貫通孔を開口させてなるものが好ましい。
【０００９】
本発明の蓄圧式噴出ノズルは、筒体の他端に固定して前記開口部から圧送された内容液の噴出口が形成されたノズルチップと、ノズルチップの内側に配置されて前記開口部をノズルチップの噴出口に通じさせる連絡路を形成する挿入部材とを設けることができる。
【００１０】
本発明の蓄圧式シリンジ型噴出器は、上記いずれかの蓄圧式噴出ノズルと、この蓄圧式噴出ノズルを固定させる先端部を有するシリンジと、このシリンジとの間に内容液の充填空間を形成するプランジャを備えるものである。
【発明の効果】
【００１１】
本発明は、筒体とピストンという２部材を基本構成とし、シリンジから圧送された内容液を一定の圧力まで圧縮したのち、それを一気に開放することで、一定の状態を保ちつつ内容液を噴出できるとともに、部品点数の削減が図られて組み付け作業性に優れた、蓄圧式噴出ノズル及び、それを備える蓄圧式シリンジ型噴出器を提供することができる。
【図面の簡単な説明】
【００１２】
【図１】本発明の一実施形態である、点鼻薬噴霧器であって、その使用前の状態を示す断面図である。
【図２】図１の拡大断面図である。
【図３】同実施形態において、その噴霧状態を示す図１の拡大断面図である。
【発明を実施するための形態】
【００１３】
以下、図面を参照して、本発明の蓄圧式シリンジ型噴出器の一実施形態である、点鼻薬噴霧器を詳細に説明する。
【００１４】
図１中、符号１は、本発明の一実施形態である、点鼻薬噴霧器であり、符号２は、シリンジである。シリンジ２は、中空の胴部２ａに形成された環状の肩部２ｂを介して、胴部２ａよりも小径の先端部２ｃが一体に設けられている。先端部２ｃの内側には、胴部２ａの内側に形成された空間Ｓ1に通じる内部通路ｒが形成されている。また、シリンジ２には、指掛け部２ｄが設けられている。
【００１５】
符号３は、シリンジ２に充填された内容液（点鼻薬）Ｍを圧送するためのプランジャである。プランジャ３は、シリンジの胴部２ａの内側に摺動可能に保持されるプランジャ本体３ａと、このプランジャ本体３ａが固定されるプランジャシャフト３ｂで構成される。プランジャシャフト３ｂには、押圧部３ｃが設けられている。使用者は、押圧部３ｃを押圧することで、シリンジ２内の内容液Ｍを内部通路ｒに押し出すことができる。従って、シリンジ２及びプランジャ３は、内容液Ｍの充填空間を形成するとともに、当該内容液Ｍを圧送するための操作器具として機能する。
【００１６】
符号１０は、本発明に従う、蓄圧式の噴霧ノズル（以下、「ノズル」という）であり、筒体１１及びピストン１５の２部材を基本構成とする。
【００１７】
筒体１１は、図２に示すように、ノズル１０の外観形状を形作る。筒体１１は、一端（以下、「後端」）１１ｂが開口してその内面をシリンジの先端部２ｃに固定させる。本実施形態では、筒体１１をシリンジの先端部２ｃに圧入嵌合させることで固定する。また、本実施形態では、筒体１１の中心軸Ｏをシリンジ２の中心線Ｏに一致させる。これにより、シリンジ２及びノズル１０は互いに同軸線Ｏ上に配置される。また、シリンジ２は、その先端部２ｃの周方向（軸線Ｏ周り）に環状のシール部２ｓが設けられている。シール部２ｓは、筒体１１の内面を密封することで、内容液Ｍの漏れを防止する。
【００１８】
これに対し、筒体１１の他端（以下、「先端」）１１ａには、噴出口１０ａが形成された噴出エレメントＥが固定されている。また、筒体１１は、その内側に、開口部Ａが形成された隔壁１２を有する。隔壁１２は、噴出エレメントＥに隣接して筒体１１の先端１１ａ側に配置されている。隔壁１２には、開口部Ａの周りに間隔を置いて複数の突起１３が設けられている（図中において、符号１３は例示的に一箇所のみ表示する）。突起１３は、その先端部１３ａがピストン１５に向かって伸びることで、後述のようにピストン１５を保持することができる。突起１３は、例えば、軸線Ｏ周りに、９０度の間隔を置いて、４箇所の位置に配置される。但し、本発明に従えば、突起１３の本数は、適宜調整することができる。
【００１９】
また、筒体１１の内面には、その周方向に間隔を置いて複数の溝１４が形成されている（図中において、符号１４は例示的に一箇所のみ表示する）。溝１４の個数は、適宜調整することができる。本発明では、少なくとも１箇所に形成することができる。
【００２０】
ピストン１５は、周壁１６を有し、その周方向に沿って環状の窪み１７が形成されている。これにより、周壁１６は、窪み１７を除いた環状の先端部１６ａ及び後端部１６ｂで、筒体１１の内面をスライド可能に密閉し、更に、周壁１６は、窪み１７と筒体１１の内面との間に隙間Ｓ2を形成する。また、周壁１６は、窪み１７の位置に、貫通孔１９が形成されている。貫通孔１９は、周方向に間隔を置いて複数形成することができる。
【００２１】
また、ピストン１５は、周壁１６の内側を閉じる仕切壁１８を有する。仕切壁１８は、先端部１６ａ側（ピストン１５の進行方向側）に設けられている。これにより、ピストン１５には、内容液Ｍを受ける後端側に開口した凹部Ｒ1が形成される。凹部Ｒ1は、貫通孔１９を通して隙間Ｓ2に通じる。
【００２２】
更に、仕切壁１８には、この仕切壁１８から突出する膨出部２０を有する。膨出部２０は、ピストン１５の進行方向に向かって先細りに突出して傾斜面２０ａを有する。この傾斜面２０ａには、図示のように、突起の先端部１３ａが接触する。本実施形態では、先端部１３ａは、傾斜面２０ａに合わさる傾斜面１３ｆを有する。これにより、突起１３は、ピストン１５の膨出部２０に対して面接触する。傾斜面１３ｆは、膨出部２０との接触面積（摩擦抵抗）を増加させることで、ピストン１５に対する突起１３の保持力を高めることができる。また、本実施形態のように、突起１３に傾斜面１３ｆを設ければ、傾斜面１３ｆの接触面積を適宜設定することで、ピストン１５に対する保持力を所望の値に調整することができる。なお、本実施形態では、膨出部２０は円錐形状に構成されている。但し、本発明に従えば、角錐形状にすることもできる。
【００２３】
ここで、本実施形態の点鼻薬噴霧器１の操作方法を説明する。
【００２４】
図１において、使用者がプランジャ３を押し込むと、シリンジ２に充填された内容液Ｍは、プランジャ３の押し込み量に従って、内部通路ｒを通してピストン１５に圧送される。このとき、ピストン１５は、図２に示すように、隔壁１２に設けた突起１３で保持されている。このため、プランジャ３の押し込みによって圧送された内容液Ｍは、プランジャ本体３ａとピストン１５との間で圧縮される。なお、ピストン１５に対する突起１３の保持力は、突起１３の個数、間隔、形状などを変更することで、適宜、調整することができる。
【００２５】
内容液Ｍが一定の圧力まで圧縮されると、ピストン１５を保持していた突起１３が、図３に示すように押し開かれることで、ピストン１５が開口部Ａに向かって進行する。このとき、ピストン１５の窪み１７が図示のように、筒体１１の溝１４にオーバーラップすると、貫通孔１９が開口部Ａに通じる。これにより、貫通孔１９は、プランジャ本体３ａとピストン１５との間で圧縮された内容液Ｍを開口部Ａから一気に噴出させることができる。なお、開口部Ａに圧送される内容液Ｍの噴出状態は、窪み１７の形状、貫通孔１９及び溝１４の個数、間隔、形状などを変更することで、適宜、調整することができる。
【００２６】
ここで、噴出エレメントＥは、筒体の先端１１ａに嵌合して開口部Ａから圧送された内容液Ｍの噴出口１０ａが形成されたノズルチップ２２と、ノズルチップ２２の内側に配置される挿入部材２３とを備える。挿入部材２３は、開口部Ａと向かい合う位置に開口する凹部Ｒ2を有する。凹部Ｒ2は、開口部Ａから圧送される内容液Ｍの充填空間を形成する。更に、挿入部材２３には、貫通孔２４が形成されている。この貫通孔２４は、ノズルチップ２２と挿入部材２３との間に形成された連絡路（スピン流路２５及び合流路２６）を通って噴出口１０ａに通じる。これにより、開口部Ａから圧送された内容液Ｍは、噴出エレメントＥ内で旋回流として構成された後、噴出口１０ａから霧状に噴霧させることができる。
【００２７】
このように、本実施形態によれば、シリンジ２から圧送された内容液Ｍを一定の圧力まで圧縮したのち、それを一気に開放することで、一定の霧状態を保ちつつ内容液Ｍを噴出できる。
【００２８】
しかも、本実施形態は、上述のとおり、筒体１１とピストン１５という２部材を基本構成とするため、シール部材を蓄圧弁として用いた従来の技術に比べて、部品点数を削減することができる。加えて、部品点数の削減とともに、筒体１１にピストン１５を挿入するだけの簡単な作業で組み付けが行えることで、組み付け作業性にも優れる。
【００２９】
このように、本発明によれば、シリンジ２から圧送された内容液Ｍを一定の圧力まで圧縮したのち、それを一気に開放することで、一定の状態を保ちつつ内容液Ｍを噴出できるとともに、部品点数の削減が図られて組み付け作業性に優れた、蓄圧式噴出ノズル１０及び、それを備える蓄圧式シリンジ型噴出器１を提供することができる。
【００３０】
上述したところは、本発明の一形態を示したにすぎず、特許請求の範囲において、種々の変更を加えることができる。例えば、本発明によれば、内容液Ｍは霧状に噴出させることは勿論、泡状に噴出させることも可能である。また、筒体１１には、メッシュや焼結体を設けることができることができる。更に、筒体１１は、シリンジの先端部２ｃに対して螺合させることができる。この場合、ピストン本体３ａとピストン１５との間に蓄えられる圧力を大きく設定することが可能になるとともに、シリンジ２に対する組み付けと、シリンジ２から分別廃棄を容易に行うことができる。また、本実施形態では、点鼻薬を内容液として、本発明に従う蓄圧式シリンジ型噴出器等を説明したが、内容液については、点鼻薬に限定されるものではなく、様々な種類の液体を採用することができる。
【産業上の利用可能性】
【００３１】
本発明は、シリンジから圧送された内容液を一定の圧力まで圧縮したのち、それを一気に噴出させることを目的とするものであれば、様々なものに適用することができる。
【符号の説明】
【００３２】
１      点鼻薬噴霧器
２      シリンジ
２ａ    胴部
２ｂ    肩部
２ｃ    先端部
２ｄ    指掛け部
２ｓ    シール部
３      プランジャ
３ａ    プランジャ本体
３ｂ    プランジャシャフト
１０    蓄圧式噴霧ノズル
１０ａ  噴出口
１１    筒体
１１ａ  先端
１１ｂ  後端
１２    隔壁
１３    突起
１３ａ  突起先端部
１３ｆ  傾斜面
１４    溝
１５    ピストン
１６    周壁
１６ａ  先端部
１６ｂ  後端部
１７    窪み
１８    仕切壁
１９    貫通孔
２０    膨出部
２０ａ  傾斜面
２２    ノズルチップ
２３    挿入部材
２４    貫通孔
２５    スピン流路
２６    合流路
Ａ      開口部
Ｅ      噴出エレメント
Ｍ      内容液
Ｒ1     凹部
Ｒ2     凹部
ｓ1     凹部
ｓ2     隙間
ｒ      内部通路
【図１】
2014087532.tif 000003
【図２】
2014087532.tif 000004
【図３】
2014087532.tif 000005